(57)【要約】      （修正有）【課題】髪束ね用シュシュ等の装身具を手芸操作によるリリアン編により製作して編組織による被覆体をもつ重厚で変化のある装身具を提供する。【解決手段】所要複数のリリアン編目列により形成された中空筒体よりなる環状本体１内に環状弾性芯材２を自由な状態で編みくるみ内包せしめシュシュを作成した。特にリリアン編目列により形成された中空筒体よりなる環状本体１の編目列数を変えて内径に変化を与え、また環状本体の長さを変えることによりシュシュに限らずブレスレット等も作成可能である。【選択図】図１
0003167436.tif 000002
【実用新案登録請求の範囲】
【請求項１】
所要複数のリリアン編目列により形成された中空筒体よりなる環状本体内に環状弾性芯材を自由な状態で編みくるみ内包せしめてなることを特徴とする環状リリアン装身具。
【請求項２】
装身具が女性髪を束ねるシュシュである請求項１記載の環状リリアン装身具。
【考案の詳細な説明】
【技術分野】
【０００１】
本考案は髪束用シュシュとして、あるいはブレスレット等の装身具として使用される環状リリアン装身具に関するものである。
【背景技術】
【０００２】
女性が髪を束ねるのにシュシュと呼ばれる髪束ね具が広く使用されており、弾性芯材を織物，編物，フェルト等の布地からなる、中空の外周被覆体内に入れ、リング状の外周被覆体で毛髪を束ねるようにしたもの（例えば特許文献１参照）や、筒状の布状体の両端をゴム紐で絞って２つのゴム口を形成し、ゴム口に髪止めを係止可能な係止具を縫い付けたもの（例えば特許文献２参照）、更に布，革，毛皮等で筒状にした本体の両端にゴムを通したもの（例えば特許文献３参照）など、各構成のシュシュが提案されている。しかし、これらのシュシュは何れもゴムの弾性収縮により毛髪を束ねるだけで外周の被覆体としては布地や革，毛皮など平面的な既存素材が多く、立体感に欠けるのみならず、ゴムの利用についても口ゴム部に装着したり、被覆体に挿入するなど、ゴムの存在が表面より確認される構造であって、髪束ね効果は兎も角、全体的に装飾効果が今一つという感があった。
【先行技術文献】
【特許文献】
【０００３】
【特許文献１】実公平６−２１３６２号公報
【特許文献２】実用新案登録第３０３３３０６号公報
【特許文献３】実用新案登録第３１２３９０２号公報
【考案の概要】
【考案が解決しようとする課題】
【０００４】
本考案は上述の如き実状に鑑み、特にリリアン編みによる中空筒体内に環状ゴムを内包せしめて編みくるみ、環状とすることによりリリアン編の編目並列により筒状体の多彩な立体感，重厚感を高めシュシュなどの装身具を手軽に手芸操作により作成可能として装飾効果を増進せしめることを目的とするものである。
【課題を解決するための手段】
【０００５】
即ち、上記目的に適合する本考案は、所要複数のリリアン編目列により形成された中空筒体よりなる環状本体内に環状弾性芯材を自由な状態で編みくるみ内包せしめたシュシュ等の環状リリアン装身具を特徴とする。
【考案の効果】
【０００６】
本考案は上記の如くリリアン編目の並列による中空筒状よりなる環状本体内に環状弾性芯材を編みくるみ内包したものであり、外観がリリアン編による重厚感を有していると共に、内部の環状弾性芯材はリリアン編の中空筒体内に編みくるまれて表面に出ることなく完全に内包されていて多彩なリリアン環状体の外観を阻害することがなく、しかもリリアン編によることから手軽に家庭内手芸として作成することができる利点もあり、手芸の普及に頗る有効な効果を有している。
【図面の簡単な説明】
【０００７】
【図１】本考案に係る環状リリアン装身具の外観を示す一部切断状態図である。
【図２】本考案装身具を製作する器具の編み始め状態を示す図である。
【図３】上記器具を用いて本考案装身具を編成する上記図２に続く第２段階説明図である。
【図４】上記図３に続く編成態様を示す説明図である。
【図５】更に上記図４に続く編成態様を示す説明図である。
【考案を実施するための形態】
【０００８】
以下、更に添付図面を参照し、本考案の具体的態様について説明する。図１は本考案に係る環状リリアン装身具の１例としてシュシュを示し、図示の如く環状本体１によってリング形状に形成されていて、内部に弾性芯材２が内包されている。
【０００９】
環状本体１は所要複数、例えば５〜６列のリリアン編目列によって中空筒体に編成されて全体として所要内径を有する環状に形成されており、編成時、中空筒体内に環状の弾性芯材２が内包されて編みくるまれ、弾性伸縮性能が付与されている。この場合、弾性芯材２は環状を保持したまま環状に形成された中空筒体内部に自由な状態で収納されて編み込まれており、この構成は本考案装身具の大きな特徴である。
【００１０】
ここで、リリアン編に使用される糸はアクリル，ポリエステル，ナイロン等の合成繊維又はこれらの嵩高加工糸，毛糸など、通常の手芸糸でとりわけ極太，超極太タイプや太めのファンシータイプの糸は好適である。内包される環状弾性芯材２は適宜太さのゴム帯或いは同効の弾性を有する糸が使用され、これらは通常、適宜繊維材により被覆して用いるのが好ましい。この内包される環状弾性芯材２は結び目をもたない環状のままリリアン編成時に同時に編み込まれ、筒状リリアン内部で自由な状態に保持されている。
【００１１】
図２〜図５は上記環状リリアンを編成する１態様であり、台座４に複数の、図においては正五角形の各頂部に位置して等間隔で立設された５本の突起棒３をもつリリアン編み器具が使用される。この場合、環状リリアンとしてシュシュ等の所要内径の環状リリアンを編成することから突起棒３の長さを長くし、７ｃｍ以上、通常、７〜１２ｃｍとすることが好ましく、余り短かくしてはシュシュに適した内径の環状リリアンに形成することが出来なくなる。
【００１２】
以下、図に従って本考案環状芯材内包の環状リリアンを編成する態様を説明すると、先ず、図２〜５に示す如く５本の突起棒３を有する器具において、編成用の糸５の始端ａをテープ等で固定し、環状弾性芯材２内をくぐらせて突起棒３に順次、巻き付けてゆき、一回りして、最初の始端ａに戻ると再び糸５を環状弾性芯材２をくぐらせて突起棒３に順次糸を巻きつけて各突起棒３で先の糸５を後の糸の下方より上方へすくって突起棒３にかけて順次リリアン編を繰り返し、これを更に順次繰り返して図４，図５に示すように環状弾性芯材２を内包したリリアン編による中空筒体１′を複数突起棒３の内部に形成し、環状弾性芯材２を伸ばした充分な長さまで編成が出来上がると器具から外し、編み始めと編み終わりを接合させ、所要の径の環状リリアンによる環状本体１を作成し、図１に示す如きシュシュが完成する。なお、テープ等で始めに止めた糸端は適当な長さが編成された時点で随時、外すようにする。かくして、図１に示す如き環状弾性芯材２を内包した環状リリアンによるシュシュを得ることができる。同様にしてシュシュに限らず、突起棒３の長さ，数を選定し、ブレスレット等の環状装身具を作成することも可能であり、本考案の含むところである。
【符号の説明】
【００１３】
１：環状体
２：環状弾性芯材
３：突起棒
４：台座
５：糸
【図１】
0003167436.tif 000003
【図２】
0003167436.tif 000004
【図３】
0003167436.tif 000005
【図４】
0003167436.tif 000006
【図５】
0003167436.tif 000007